(57)【要約】      （修正有）【課題】汚物パッドの交換が簡便で衛生的な人工肛門処理用具を提供する。【解決手段】従来多く見られた固着型の容器を汚物パッドとせず、紙製または合成樹脂製の交換できる使い捨ての汚物パッド４と保護パッド３の二重構造とし、使い捨てとなる汚物パッドは簡単に保護パッドから脱着ができる仕組みとした保護カバー３を装着ベルト８で締めて身体１に装着する。【選択図】図１
0003203556.tif 000002
【実用新案登録請求の範囲】
【請求項１】
使い捨てとする汚物パッドと保護カバーの二重構造を有する人工肛門処理用具。
【請求項２】
水分凝固剤で加工した汚物パッドを保護カバーに内蔵する人工肛門処理用具。
【考案の詳細な説明】
【技術分野】
【０００１】  本考案は、腸の疾患による手術によって、やむなく人工の肛門に頼る場合の排泄処理の用具に関するものである。
【考案の開示】
【考案が解決しようとする課題】
【０００２】  通常、大腸癌等の手術によって本来の肛門の機能が失われ、腹部を開口し大便の排泄口となる人工肛門を設けて大便の排泄が行われる場合は、日常生活において大きな不便が生じるものである。【０００３】  すなはち、大便は液状となり常時に汚物が流れ出ることになり、人工肛門に取り付けた汚物パッドで受けて溜まるたびに汚物を回収処理することが日課となる。【０００４】  しかも、体外に突出した人工肛門の周辺は不衛生なものであり、大便の臭気とともに汚物が人工肛門の周辺に漏洩して紙やガーゼなどによって再々拭き取ることが日常茶飯事となる。【０００５】  従って、人工肛門の周辺が爛れる皮膚疾患にも難儀する結果となり、患者を少なからず憂鬱にさせる原因となる事柄である。【０００６】  本考案は、このようなアクシデントは介護を行う者にとっても面倒な排便処理であるため、人工肛門の処理用具の構造を改善する。
【課題を解決するための手段】
【０００７】  本考案は、課題を解決するため、以下の如き簡便な構造を有し排泄処理を合理的にできる人工肛門の処理用具を提供する。【０００８】  すなはち、従来の人工肛門の処理用具の欠点を排除し、その度に洗浄して汚物パッドを再々度使用していた状態を改めて、汚物パッドを使い捨てとし、汚物パッドの保護カバーは伸縮自在なバンドによって腹部に装着し、保護カバーの内面には合成樹脂製または防水処理した紙製の袋を内蔵して汚物バッドとする。【０００９】  保護カバーは、汚物処理の汚物パッドとなる袋の先端は、人工肛門の排泄口を覆うことができる円形の汚物パッドの開口口から引き出すことで、汚物入れの汚物バッドとともに体に密着することができる。【００１０】  この場合、汚物入れとなる汚物バッドは、袋の内面に水分を吸収して液状の汚物を凝固させる溶剤加工を施したものを用いることとする。【００１１】  大便の排泄処理作業は、汚物パッド内に凝固した大便が蓄積した段階で、保護カバーの脱着バンドを緩めて汚物が入っている汚物パッドとともに保護カバーの下部の開口口から下垂している汚物パッドを引っ張り出すことで、簡単に周辺を汚さずに排便を処理する作業ができることになる。【００１２】  この場合、大便は液状となった状態で人工肛門から汚物バッドに常時に流出するので、素早い作業が必要となることに変わりは無いが、汚物が着衣を汚すなど周辺を汚染する事は大幅に減少する。従って、汚物から出る悪臭も減少させることになる。
【考案の効果】
【００１３】  本考案の人工肛門処理用具を用いることによって、従来の人工肛門処理用具と異なり大便の処理が簡単になり、合理的な排便作業ができる。【００１４】  すなはち、人工肛門における液状の大便処理を簡便迅速に行うことが可能となり、人工肛門の周辺の汚染が減少し、悪臭の除去に役立ち、排泄処理の不手際が少なくなり皮膚の爛れを減少させ、悪臭の発生防止ができる。【００１５】  本考案による人工肛門処理用具によって、係る経費が節約でき患者の終生の排泄作業が軽減されて、快適合理的な排便作業の手助けとなる。【００１６】  しかも、汚物パッドは使い捨てとするため、収容されている大便とともに廃棄処分が可能であり、従来の如くその都度汚物パッドを洗浄して再利用しなくても済み、極めて衛生的な効果を生じる。【００１７】  本考案の人工肛門の処理用具を用いることにより、患者の常習となった面倒な排便処理で憂鬱になる心情を和らげ、希望創出の一助となる効果も生じることになる。
【考案を実施するための最良の状態】
【００１８】  本考案は、人工肛門の排便処理に光明を抱かせるために簡便かつ合理的な構造を有し常時に装着して大便の収集と処理に役立てることを目的としている用具である。
【００１９】  従って、用具一式を身に付けて違和感が少なく、外見上も目立たない工夫を要する結果、汚物パッドの保護カバーを薄い形態とし全体が身体下方に摺り落ちないよう伸縮自在な装着ベルトで保護カバーを身体に装着できることとする。
【００２０】  汚物入れとなる汚物パッドは防水加工した袋状のものとし、これを保護する保護カバーを容易に変形しない合成樹脂製とし、汚物パッドの内部は液体凝固剤を塗布し防水加工を施したものとし、ほとんど液状で排出される大便を専用の汚物パッドのなかで凝固させて固型化できる仕組みとする。
【００２１】  また、本考案の人工肛門処理用具は、汚物入れとなる汚物パッドを保護カバーの大便注入口から引き出し、汚物パッドの口前を保護カバーの大便注入口で身体の人工肛門の大便排出口に押し当てて密着させて使用することになる。
【００２２】  前述の如く、袋状の汚物パッドに大便が相当量溜まった時点で、保護カバーの下方から引き出して大便とともに汚物パッドが回収できるので人工肛門の周囲に汚物が付着することも少ないことになる。従って、あと処理として人工肛門の排出口周辺の清掃も簡単に済ませることができる。
【００２３】  故に、従来の人工肛門周辺の皮膚の爛れによる皮膚炎を抑制し、悪臭など不快な現象が減少することとなる。
【実施例】
【００２４】  以下、本考案による人工肛門処理用具の実施例を図面に基づいて説明する。【００２５】  図１は、人工肛門２の処理用具を身体１に装着した状態の概要を説明するものであり、袋状の汚物パッド保護カバー（以下保護カバー）３の内側にセットする防水加工した紙製または合成樹脂製の袋状の汚物パッド４を下方から挿入し、汚物パッド４の開口口６とともに保護カバー大便流入口７が人工肛門２の大便流出口を囲んで覆うことになる。【００２６】  従って、汚物パッド４の開口口５は保護カバー３の大便流入口７によって囲んで密着し、汚物パッド４の開口口６が人工肛門２を囲った状態で保護カバー３を装着ベルト８で締めて身体１に装着する。【００２７】  すなはち、保護カバー３の大便流入口７で汚物パッド３の大便流入口６を、身体１の腹部から少し突出している人工肛門２の大便流出口７の周囲に押し付けて密着するので、用具装着時の大便の漏れ現象は起こらない。【００２８】  図２は、本考案を身体に装着した用具の断面を横から見た図であり、身体１の人工肛門２から流れ出した液状の大便ａは、身体に密着した汚物パッド４に矢印↓の方向に流れ込んだ大便ａは汚物パッド３に蓄積し、汚物パッド３の内面に塗布加工された水分凝固剤によって固形化した大便ｂとなる。【００２９】  以上のように、人工肛門２の大便流出口７から絶えず流れ出る大便ａが、本考案の人工肛門処理用具の汚物パッド４に収容され、大便ｂが汚物パッド３に満たされると凝固した大便とともに廃棄処分する。【００３０】  本考案の用具は、汚物パッドは再利用せず衛生かつ簡便に処理作業ができることになり、人工肛門２の周辺に大便ａが付着する汚染が皆無となり不快な悪臭の除去になる。
【産業上の利用可能性】
【００３１】  本考案の人工肛門処理用具は、当事者にとっては絶対必要な用具であり、簡便かつ衛生的な用具であるので人工肛門施術を施した患者の必需品となる。【００３２】  また、本考案の人工肛門処理用具に用いる汚物パッドは、消耗部材であるため産業上新しい産業を生むことになる。【００３３】  本考案による汚物パッドは、軽便であり安価な製造が可能であり人工肛門を施術された患者に経済的な負担とならないので産業上利用の可能性は大きい。
【図面の簡単な説明】
【００３４】
【図１】本考案の人工肛門処理用具を身体に装着した状態を説明する断面見取図。
【図２】本考案の人工肛門処理用具を装着した状態を説明し、大便が流出して汚物パッドに収束する経路を説明する横方向からの断面の見取図。
【図３】汚物パッドの保護カバーの横方向の見取図。
【図４】汚物パッドの保護カバーの身体装着面の見取図。
【図５】汚物パッドの保護カバーの上から見た見取図。
【図６】汚物パッドの保護カバーの下から見た見取図。
【符号の説明】
【００３５】    １．人体。
２．人工肛門。
３．汚物パッドの保護カバー。
４．袋状の汚物パッド。
５．保護カバーの開口口。
６．汚物パッドの汚物流入口。
７．保護カバーの大便流入口。
８．マジックファスナーを用いた装着バンド。
ａ．人口肛門から流出する大便。
ｂ．汚物パッド内部で凝固した大便。
↓．人工肛門から流出した大便の流れる方向。
【図１】
0003203556.tif 000003
【図２】
0003203556.tif 000004
【図３】
0003203556.tif 000005
【図４】
0003203556.tif 000006
【図５】
0003203556.tif 000007
【図６】
0003203556.tif 000008